(57)【要約】 【課題】  日常の生活、作業、運動等での動作の制約が少なく、装着調整も手間を要しない簡易な構造の姿勢矯正ベルトを得ること。【解決手段】  左右横長の表面側起毛素材及び裏面側伸縮素材とが固着された基布表面の一方端部に垂直方向直線状の中央基準ラインが表示され、前記中央基準ラインの下端寄り水平方向に基準高さが表示され、前記基布幅は第七肋骨乃至第十肋骨のうちの少なくとも２本の肋骨に跨がり該基布左右長さは該肋骨周囲を囲繞可能な長さにとられ、前記基布裏面の一方端末から所定範囲に前記起毛素材と嵌合可能なループ状の面ファスナーが固着されている姿勢矯正ベルト。【選択図】        図１
0003102650.tif 000002
【実用新案登録請求の範囲】
【請求項１】
左右横長の表面側起毛素材及び裏面側伸縮素材とが固着された基布表面の一方端部に垂直方向直線状の中央基準ラインが表示され、前記中央基準ラインの下端寄り水平方向に基準高さが表示され、前記基布幅は第七肋骨乃至第十肋骨のうちの少なくとも２本の肋骨に跨がり該基布左右長さは該肋骨周囲を囲繞可能な長さにとられ、前記基布裏面の一方端末から所定範囲に前記起毛素材と嵌合可能なループ状の面ファスナーが固着されていることを特徴とする姿勢矯正ベルト。
【請求項２】
基布表面の他方端部に垂直方向直線状の圧迫基準ラインが複数本等間隔に表示されていることを特徴とする請求項１に記載の姿勢矯正ベルト。
【請求項３】
基布表面の他方端部のみを起毛によるフック状の毛羽をもたせるか又は起毛に代えて別体のフック状の面ファスナーを固着して該基布裏面に固着されたループ状の面ファスナーと嵌合可能としたことを特徴とする請求項１又は２に記載の姿勢矯正ベルト。
【請求項４】
起毛素材は天然繊維及び／又は合成繊維にスパンデックス繊維を含んで布状に形成され、伸縮素材は天然又は合成ゴムでシート状に形成され、前記起毛素材及び伸縮素材は互いに伸縮を合わせ接着又は縫着によって固着されていることを特徴とする請求項１乃至３のいずれかに記載の姿勢矯正ベルト。
【考案の詳細な説明】
【技術分野】
【０００１】
本考案は、脊柱が丸く湾曲している人の姿勢を矯正するためのベルトの改良に関するものである。
【背景技術】
【０００２】
図３に示すのは一般的な人体の胸部骨格２０で、図４に示すのは一般的な人体の上半身骨格２で、脊柱２１から肋骨２２が上下に伸びる胸骨２３に向かって左右前方向に突出されている。肋骨２２は、上端の第一肋骨ａから第二肋骨ｂ、第三肋骨ｃ、第四肋骨ｄ、第五肋骨ｅ、第六肋骨ｆ、第七肋骨ｇ、第八肋骨ｈ、第九肋骨ｉ、第十肋骨ｊと順次下り第十一肋骨ｋから最下端の第十二肋骨ｌまで間隔をおいて１２本で形成されている。背の丸まっている人は、背部側の脊柱２１が矢印Ｘ方向に曲がり、その結果肋骨２２の前部が上からの圧迫で下に矢印Ｙ方向に下がり、下部の第七肋骨ｇ乃至第十肋骨ｊ部分は左右外側矢印Ｚ１ 、Ｚ２ 方向に開き、この状態が長期に渡ると元に戻らなくなってしまう。このため姿勢を矯正することが困難になり、肩凝り、腰痛、内臓圧迫、血行不良等の原因となる。無理に良い姿勢を保とうと前記矢印Ｘと反対方向に戻そうとすると背筋を使うことになるが、長時間背筋を使い過ぎると疲労しこの姿勢維持が困難となる。
【０００３】
そこで、姿勢矯正ベルトとして、肩から襷状に掛渡される肩掛けベルトと、大胸筋の下部に巻き回された胸部ベルトとから構成されたものがある。
【特許文献１】特開２００１−１７４５６号公報
【特許文献２】特開２００２−１７７３０９号公報
【考案の開示】
【考案が解決しようとする課題】
【０００４】
前記［特許文献１］及び［特許文献２］に記載の姿勢矯正ベルトは、肩掛けベルト及び胸部ベルトが胸部全体に渡って掛渡されているので、整形外科などにおける治療目的であればやむを得ないが、日常の生活、作業、運動等を行う際に装着すると動作が制約を受けどうしても自由度が低くなり、構造及び装着調整が複雑で手間がかかる。
これに対し、本考案は、日常の生活、作業、運動等での動作の制約が少なく、装着調整も手間を要しない簡易な構造の姿勢矯正ベルトを得ることを目的とする。
【課題を解決するための手段】
【０００５】
この目的を達成するために、
請求項１の考案にあっては、左右横長の表面側起毛素材及び裏面側伸縮素材とが固着された基布表面の一方端部に垂直方向直線状の中央基準ラインが表示され、前記中央基準ラインの下端寄り水平方向に基準高さが表示され、前記基布幅は第七肋骨乃至第十肋骨のうちの少なくとも２本の肋骨に跨がり該基布左右長さは該肋骨周囲を囲繞可能な長さにとられ、前記基布裏面の一方端末から所定範囲に前記起毛素材と嵌合可能なループ状の面ファスナーが固着されていること姿勢矯正ベルトにより解決した。
請求項２の考案にあっては、基布表面の他方端部に垂直方向直線状の圧迫基準ラインが複数本等間隔に表示されている請求項１に記載の姿勢矯正ベルトとするのが好ましい。
請求項３の考案にあっては、基布表面の他方端部のみを起毛によるフック状の毛羽をもたせるか又は起毛に代えて別体のフック状の面ファスナーを固着して該基布裏面に固着されたループ状の面ファスナーと嵌合可能とした請求項１又は２に記載の姿勢矯正ベルトとすることができる。
請求項４の考案にあっては、起毛素材は天然繊維及び／又は合成繊維にスパンデックス繊維を含んで布状に形成され、伸縮素材は天然又は合成ゴムでシート状に形成され、前記起毛素材及び伸縮素材は互いに伸縮を合わせ接着又は縫着によって固着されている請求項１乃至３のいずれかに記載の姿勢矯正ベルトとすることができる。
【考案の効果】
【０００６】
本考案の姿勢矯正ベルトは、日常の生活、作業、運動等での動作の制約が少なく、装着調整も手間を要しない簡易な構造であって、使用を継続することにより、肋骨を持上げて脊柱を起こし、姿勢を良好に保ちその結果、肩凝り、腰痛、血行不良等を解消するのに有効である。
又スポーツ実施の際に用いると有効であり、柔軟性がありフォームの改善が計れる。
【考案を実施するための最良の形態】
【０００７】
本考案の実施の形態を図面を参照して説明する。
図１は、本考案の姿勢矯正ベルトの一例の表面図、裏面図及び側面図である。
図２は、図１の姿勢矯正ベルトの使用状態における形態を示す斜視図である。
図３は、図１の姿勢矯正ベルトの装着を説明するための人体の胸部骨格を示す模式的側面図及び正面図である。
図４は、図１の姿勢矯正ベルトの装着状態を説明するための人体の上半身の骨格との関係を示す模式的正面図である。
以下においては、本考案の姿勢矯正ベルトの人体への装着時の状態において、前後、上下として説明する。又本考案の姿勢矯正ベルトは、発育上からみて通常１３歳以上の人に好適に使用可能である。
【０００８】
図１において、本考案の一例の姿勢矯正ベルト１は、表面側左右横長の略長方形起毛素材１１ａと裏面側左右横長の略長方形伸縮素材１１ｂとが固着され幅Ｗ、左右長さＬの基布１１をベースとし、基布１１表面には、一方端部（本例では右側）に中央基準ラインＡが上下垂直方向直線状に表示され、中央基準ラインＡの下端寄り下から僅かな距離Ｔの位置に水平方向に基準高さＢ（も本例では水平方向に黒三角頂点を向合わせているが、これに限定されない）が表示され、他方端部（本例では左側）に圧迫基準ラインＣが上下垂直方向直線状に複数本等間隔に表示されている。基布１１の幅Ｗは、後述する姿勢矯正ベルト１の使用方法において詳述する通り、第七肋骨ｇ乃至第十肋骨ｊのうち少なくとも２本の肋骨に基布１１の幅方向が跨がるようにおき、基布１１の左右長さＬは起毛素材１１ａ側を表面におき、伸縮素材１１ｂ側を皮膚に当て肋骨の周囲を囲繞可能な長さにとられる。本例では、基布１１は通常幅Ｗが６ｃｍ、左右長さＬが通常子供用７５ｃｍ又は大人用９０ｃｍにとられている。
本例では圧迫基準ラインＣは、１０本の上下垂直方向直線が間隔１ｃｍをおいて他方端側より順次Ｃ１ 〜Ｃ１０で表示して配設されているが、この数１０本に限定されず通常１０〜１５本の範囲で設ければよい。
基布１１の裏面には、一方端の端末から所定範囲（本例では１０〜１５ｃｍ）にループ状の面ファスナー１２が固着されている。基布１１の素材は、伸縮素材１１ｂは天然又は合成ゴムでシート状に形成され、起毛素材１１ａは綿・レーヨン等の天然繊維及び／又はナイロン・ポリエステル等の合成繊維を用い高伸縮性のスパンデックス繊維を交織して布状に形成され表面を起毛してあるが、伸縮素材１１ｂ及び起毛素材１１ａは互いに伸縮を合わせ接着又は縫着によって固着されている。面ファスナー１２は形成されているループを雌部とし、後述する姿勢矯正ベルト１の使用時においては、起毛素材１１ａ表面のフック状の毛羽を雄部として重ね合わせたときに雄部が雌部に嵌合し互いに強固に固着され定着保持することができる。又基準高さＢは、本例では距離Ｔが１ｃｍにとられ、基布１１の上端からはＷ−Ｔ＝５ｃｍとされている。
上記においては、一方端部は右側、他方端部は左側として説明したが左右入替えてもよい。
【０００９】
次に、図２乃至４により姿勢矯正ベルト１の使用方法を説明する。
図４に示す通り、肋骨２２の前部が矢印Ｙ方向に下がり第七肋骨ｇ乃至第十肋骨ｊ部分が左右外側矢印Ｚ１ 、Ｚ２ 方向に開くのを戻すように、第七肋骨ｇ乃至第十肋骨ｊのうち少なくとも２本の肋骨に基布１１の幅方向が跨がるようにおき、基布１１の長さ方向を図２に示すよう起毛素材１１ａ側を表面におき、伸縮素材１１ｂ側を皮膚に当て肋骨の周囲を囲繞する。このとき、一方端部は表面側の中央基準ラインＡを胸骨２３下端の水落ち２４略中央下方線上にあるようにおき、基準高さＢが第七肋骨ｇ乃至第十肋骨ｊのうちの下方位置にある第八肋骨ｈ乃至第十肋骨ｊのうちのいずれかの位置にあるように調整しておき、一方端部の面ファスナー１２はループが裏側に突出状態にしておかれる。
他方端部は表面側の圧迫基準ラインＣの一部は面ファスナー１２と向合う位置がおかれるが、このときには引張らずに中央基準ラインＡと一致する圧迫基準ラインＣのＮｏを読み取り胸囲に相当した値を得る。次いで、この位置から圧迫基準ラインＣのＮｏを追って約１０ｃｍだけ他方端部を引張って肋骨部分を圧迫状態にした所で、面ファスナー１２のループを起毛素材１１ａ表面のフック状の毛羽と嵌合せしめて定着する。
その結果、第七肋骨ｇ乃至第十肋骨ｊのうち少なくとも２本の肋骨（図４に示す例では第七肋骨ｇ乃至第九肋骨ｉの３本）は、伸縮素材１１ｂの引張りによる反力によって矢印Ｚ１ 、Ｚ２ と反対方向に圧迫保持されるが、基布１１を構成する伸縮素材１１ｂ及び起毛素材１１ａ共尚多少伸縮性が残っていいるので、日常の生活、作業、運動等での動作の制約が少なく、使用を継続することにより、下方の肋骨２２を持上げて脊柱２１を起こし、姿勢を良好に保ちその結果、肩凝り、腰痛、血行不良等を解消するのに有効である。又取外した後再度装着する場合には、圧迫状態における圧迫基準ラインＣのＮｏを記憶しておけば、容易に最適な状態の再現可能である。
【００１０】
前記図１において説明した姿勢矯正ベルト１の構成のうち、中央基準ラインＡ及び基準高さＢの表示は、姿勢矯正ベルト１の装着初期の中央位置決めのための必須の構成であるのに対し、圧迫基準ラインＣの表示は下部肋骨２２の圧迫程度の目途をつけるのに有効で好ましい構成ではあるが、実施時に確かめながら使用することとすれば必ずしもなくてもよい。
前記図１において説明した姿勢矯正ベルト１の構成のうち、基布１１の起毛素材１１ａは必ずしも全体が起毛されている必要はなく、少なくとも人体への装着時において面ファスナー１２と向合う圧迫基準ラインＣを含む他方端部だけを起毛によるフック状の毛羽を雄部とし、装着時において胸囲に対応し位置を調整して向合う面ファスナー１２のループを雌部とし前記雄部と嵌合可能としてもよい。又、この起毛部分に代えて別体のフック状の雄部となる面ファスナーを固着して突出させてもよい。
【産業上の利用可能性】
【００１１】
本考案の姿勢矯正ベルトは、装着調整も手間を要しない簡易な構造であって、使用を継続することにより、肋骨を持上げて脊柱を起こし、姿勢を良好に保ちその結果、肩凝り、腰痛、血行不良等を解消するのに有効であり、又スポーツ実施の際に用いるとフォームの改善が計れる。
【図面の簡単な説明】
【００１２】
【図１】本考案の姿勢矯正ベルトの一例の（ａ）表面図，（ｂ）裏面図、（ｃ）側面図である。
【図２】図１の姿勢矯正ベルトの使用状態における形態を示す斜視図である。
【図３】図１の姿勢矯正ベルトの装着を説明するための人体の胸部骨格を示す（ａ）模式的側面図、（ｂ）模式的正面図である。
【図４】図１の姿勢矯正ベルトの装着状態を説明するための人体の模式的上半身骨格との関係を示す模式的正面図である。
【符号の説明】
【００１３】
１  姿勢矯正ベルト
１１ 
基布
１１ａ 
起毛素材
１１ｂ 
伸縮素材
１２ 
ファスナー  
２  上半身骨格
２０ 
胸部骨格
２１ 
脊柱
２２ 
肋骨
２３ 
胸骨  
２４ 
水落ち
Ａ  中央基準ライン
Ｂ  基準高さ
Ｃ  圧迫基準ライン
ａ〜ｅ  第一肋骨〜第十二肋骨
【図１】
0003102650.tif 000003
【図２】
0003102650.tif 000004
【図３】
0003102650.tif 000005
【図４】
0003102650.tif 000006